(57)【特許請求の範囲】
【請求項１】
プロフィールデータがユーザごとにサーバに記録されており、広告主からの広告配信依頼に応じてインターネット等の双方向通信メディアを通じて配信されるコマーシャルをユーザが閲覧したときに該ユーザに対して特典を付与するインセンティブ型コマーシャルシステムにおいて、コマーシャルを配信する際に、コマーシャルをインデックス表示する第１の表示画面を配信し、次いで、ユーザの要求によりコマーシャルの具体的内容を表示する第２の表示画面を配信する階層表示形態で配信し、且つ、第１の表示画面は広く閲覧可能であるが第２の表示画面は広告主により指定されたプロフィールデータに含まれる一の条件または複数の条件の組み合わせを満たすユーザのみが閲覧可能であるように設定するとともに、第１の表示画面にインデックス表示された各コマーシャルについてそのユーザが広告主による指定条件を満たしているか否かを前記サーバに記録されている該ユーザのプロフィールデータと照合することによって判定して該第１の表示画面の各コマーシャルについて第２の表示画面を閲覧可能であるか否かをユーザに対して告知するものとし、ユーザが第１の表示画面にインデックス表示されているが第２の表示画面は閲覧不能であるとされている特定のコマーシャルについて第２の表示画面への移行を希望したときに該ユーザに対してプロフィールデータの更新を促し、この更新要求に応じて入力された内容を前記サーバにおける該ユーザのプロフィールデータとして書き換えることを特徴とする、インセンティブ型コマーシャルシステムにおけるユーザプロフィールデータ管理方法。
【請求項２】
書き換えられたプロフィールデータが前記広告主の指定条件を満たしているときに、そのユーザに対して第２の表示画面の閲覧を許容することを特徴とする、請求項１のユーザプロフィールデータ管理方法。
【発明の詳細な説明】
【０００１】
【発明の属する技術分野】
本発明はインターネットやＣＡＴＶ等の双方向通信メディアを通じて配信されるインセンティブ型コマーシャルシステムにおけるユーザプロフィールデータ管理方法に関する。
【０００２】
【従来の技術】
本出願人は「双方向メディアを利用した流通システム」に関する特許第２９４８７５２号を取得している。この特許発明によれば、コマーシャル依頼者（広告主）からの依頼に応じて該広告主の商品またはサービスに関する広告放送が電話回線やＣＡＴＶあるいはインターネット等の双方向通信手段を介して配信され、これをユーザがモニターを通じて視聴したことの広告視聴データが該モニターに接続される記録体に累積的に記録される。
【０００３】
この特許発明はいわゆるインセンティブ型コマーシャルの先鞭をなすものであり、広告主にとっては広告による商品需要喚起効果を高めると共に広告視聴と商品需要（販売実績）との相関性を明確に把握できるため、マーケティングや発注・受注を的確且つ迅速に行うことができる利点があり、一方ユーザにとっては広告の累積視聴に応じた特典（インセンティブ）を受けることができるというメリットがある。
【０００４】
このようなインセンティブ型コマーシャルシステムの具体的実施形態の一例として、システムを運営するセンタがインターネット上においてショッピングモールを構築し、登録ユーザは、上述のようにして広告累積視聴によって獲得した特典を電子マネーに換算して、該ショッピングモールでのショッピングにおいて代金として使用可能とすることが考えられる。
【０００５】
このシステムを利用しようとするユーザは、センタが開設するホームページ等において利用希望を伝える。ユーザからの利用希望を受けたセンタは、そのユーザに対して、住所、氏名、性別、生年月日、電話番号、電子メールアドレス、職業、年収、家族構成、趣味等の入力を求め、入力されたユーザプロフィールデータをセンタに備えるサーバにユーザごとに記録する。このようなユーザプロフィールデータを記録しておくことで、広告視聴傾向やオンライン上でのショッピング実績等を年齢や地域等の条件に対応させて様々なマーケッティングリサーチを行うことができる。
【０００６】
【発明が解決しようとする課題】
ところが、従来のシステムではユーザプロフィールデータに変更があっても、その更新をユーザに積極的に促す手段が存在しなかった。ホームページ上においてユーザプロフィールデータを自発的に更新することは可能であっても、ユーザにとって、それは何の利益も生まない面倒なだけの作業であり、ほとんど実効性を期待することができない。サーバにおいて記録されているユーザプロフィールデータがそのユーザの現状を反映していないものであると、前記したようなマーケッティングリサーチの精度が低下し、広告主にとっての利点が損なわれる。
【０００７】
また、インセンティブ型コマーシャルシステムを稼動する上で、広告主は、ある一定のユーザ層に絞ってコマーシャルを配信したいと考える場合がある。たとえば化粧品の購買者は一般に女性に限られるので、化粧品のコマーシャルを男性ユーザに配信する必要性はほとんどないものと考えられる。自動車ディーラーが広告主である場合、そのコマーシャルはディーラー所在地を中心とする近隣地域に居住または勤務するユーザに対して配信すれば十分であり、さらにユーザプロフィールデータにユーザが所有する自動車の時期車検日が含まれている場合は、車検切れの迫ったユーザに対して買い換えを促すコマーシャルをダイレクトメールのようにして配信することも有意義であろう。高額な輸入車を扱うディーラーであれば一定以上の年収のユーザに限定してコマーシャル配信することも考えられる。
【０００８】
広告主にとってコマーシャル閲覧可能なユーザ層を絞り込むことは、自社商品の潜在的需要者に対して特典を付与するというインセンティブ型コマーシャルの本質を追究しつつ、ほとんど自社商品の購入に結びつかないであろうと考えられるユーザによる閲覧を排除し、そのようなユーザに対して無駄に特典を付与することの経済的損失を未然に防止するための重要な戦略となり得るものである。
【０００９】
このような広告主のニーズは、広告主からセンタに与える広告配信依頼に、その広告を閲覧可能とするユーザ層を限定するための条件設定を含ませておくことで実現することができる。センタは、広告主により指定された条件をサーバに記録されているユーザプロフィールデータと照合し、その条件を満たすユーザのみが閲覧可能であるように広告を配信する。
【００１０】
ところが、サーバに記録されているユーザプロフィールデータがそのユーザの現状とは異なっていると、本来広告主にとって閲覧して欲しいユーザが閲覧できなかったり、反対に閲覧して欲しくないユーザが閲覧できることになり、前述の目的を有効に達成することができない。このような不利を回避するためにも、ユーザプロフィールデータのアップデートをユーザに対して積極的に促す有効な手段を講ずることが望まれる。
【００１１】
【課題を解決するための手段】
そこで本発明は、インセンティブ型コマーシャルシステムにおいて、登録ユーザのプロフィールデータが現状と合致しなくなっている場合にそれをユーザに認知させ、現状にあわせてアップデートすることを促すことのできる新規なビジネスモデルを提供することを目的とする。
【００１２】
この目的を達成するため、請求項１にかかる本発明は、プロフィールデータがユーザごとにサーバに記録されており、広告主からの広告配信依頼に応じてインターネット等の双方向通信メディアを通じて配信されるコマーシャルをユーザが閲覧したときに該ユーザに対して特典を付与するインセンティブ型コマーシャルシステムにおいて、コマーシャルを配信する際に、コマーシャルをインデックス表示する第１の表示画面を配信し、次いで、ユーザの要求によりコマーシャルの具体的内容を表示する第２の表示画面を配信する階層表示形態で配信し、且つ、第１の表示画面は広く閲覧可能であるが第２の表示画面は広告主により指定されたプロフィールデータに含まれる一の条件または複数の条件の組み合わせを満たすユーザのみが閲覧可能であるように設定するとともに、第１の表示画面にインデックス表示された各コマーシャルについてそのユーザが広告主による指定条件を満たしているか否かを前記サーバに記録されている該ユーザのプロフィールデータと照合することによって判定して該第１の表示画面の各コマーシャルについて第２の表示画面を閲覧可能であるか否かをユーザに対して告知するものとし、ユーザが第１の表示画面にインデックス表示されているが第２の表示画面は閲覧不能であるとされている特定のコマーシャルについて第２の表示画面への移行を希望したときに該ユーザに対してプロフィールデータの更新を促し、この更新要求に応じて入力された内容を前記サーバにおける該ユーザのプロフィールデータとして書き換えることを特徴とする、インセンティブ型コマーシャルシステムにおけるユーザプロフィールデータ管理方法である。
【００１４】
請求項２にかかる本発明は、請求項１のプロフィールデータ管理方法において、書き換えられたプロフィールデータが前記広告主の指定条件を満たしているときに、そのユーザに対して第２の表示画面の閲覧を許容することを特徴とする。
【００１７】
【発明の実施の形態】
図１は本発明の一実施形態によるインセンティブ型コマーシャルシステムを示す概略構成図である。このシステムは、システム全体の管理運営を行うシステムセンタ１と、システムセンタと契約して広告配信を依頼する広告依頼者（クライアント）２と、クライアントの広告を閲覧するためのモニターを備えた通信端末機（たとえばパーソナルコンピュータや携帯電話）を所有、保有または携帯する登録ユーザ３とで構成される。
【００１８】
システムセンタ１はインターネット上にホームページ４を開設し、各クライアントの依頼に応じた広告をこのホームページに掲載する。各ユーザは契約プロバイダ５を通じてこのホームページにアクセスすることができ、モニターに広告を表示させて閲覧することができる。
【００１９】
ホームページ４には多数のクライアントの広告が掲載されるので、階層構造としてユーザが希望する商品またはサービス（以下、単に商品とする）の広告を簡単且つ迅速に閲覧できるようにすることが好ましい。このため、ユーザがホームページ４にアクセスすると、まず第１の表示画面として多数の商品またはクライアントがリストされたインデックスページが表示され、このインデックスページにおいてユーザが希望する特定の一の商品またはクライアントを指定する（クリックする）と、その商品またはクライアントに関するコマーシャルの具体的内容が表示された第２の表示画面が現れるように設定されている。たとえば、第２の表示画面はそのクライアントが開設するホームページであってよく、第１の表示画面において特定のクライアントが指定されたときに該クライアントのホームページにジャンプするように設定することができる。
【００２０】
このサービスを利用するためにはユーザは会員登録する必要がある。会員登録はホームページ４上で可能である。登録時に、ユーザの住所、氏名、性別、生年月日、電話番号、電子メールアドレス、職業、年収、家族構成、趣味等の入力をユーザに求める（図２参照）。この入力要求に応答してユーザにより入力されたユーザプロフィールデータは、センタ１に備えられるサーバにユーザごとに登録される。これにより、クライアントにとっては、広告視聴傾向やオンライン上でのショッピング実績等を年齢や地域等の条件に対応させて様々なマーケッティングリサーチを行うことが可能となる。
【００２１】
ユーザプロフィールデータ入力後、センタはユーザに対して固有のＩＤ番号を付与し、ユーザからのパスワード入力を得てユーザ登録が完了する。
【００２２】
また、クライアントは、センタに広告配信依頼を行うときに、これらユーザプロフィールデータに含まれる一の条件を設定し、あるいは複数の条件を任意に組み合わせて設定することで、特定の条件（年齢や性別等）を満たすユーザだけに広告を提供することができる。これによりクライアント側で広告視聴可能なユーザ層を絞り込むことができ、商品購入に結びつく可能性の少ない「ひやかし」的な広告視聴を未然に排除することができる。このようにして閲覧可能なユーザを限定するための条件設定がなされている広告は、インデックスページである第１の表示画面にはインデックス（リスト）表示されるが、その具体的内容を表示する第２の表示画面に移行することができるユーザは、該設定条件を満たしているユーザに限られる。
【００２３】
具体的には、第１の表示画面を閲覧するユーザが、そこにインデックス表示された各広告についてクライアントから指定された条件を満たしているか否かを、センタ１が備えるサーバに記録されたユーザプロフィールデータと照合することによって判定し、その判定結果、すなわちそのユーザが第２の表示画面を閲覧可能であるか否かを示す表示を第１の表示画面中の各広告につけておく。たとえば、ホームページにアクセスしたユーザのプロフィールデータを確認して、そのユーザが第２の表示画面に移行して閲覧可能な広告にはブリンク（点滅）表示等により閲覧可能であることをユーザに対して告知する（図３参照）。これにより、ユーザは第１の表示画面においてインデックス表示された各広告について、第２の表示画面に移行してより詳細な広告内容を閲覧可能である広告と、第２の表示画面が閲覧不能である広告とを識別することができる。図３ではブリンク表示されたＣ社の広告についてはこれを第１の表示画面においてクリックすることによって第２の表示画面に移行して閲覧可能であるが、ブリンク表示のない他社の広告は第２の表示画面を閲覧することができない。ブリンク表示のない広告はクリック不能に設定されている。
【００２４】
ここでブリンク表示のない広告がユーザによってクリックされると、「あなたの現在のプロフィールデータではこのＣＭを見ることができません。プロフィールデータを更新しますか？」のようなメッセージを画面表示して、ユーザにプロフィールデータの更新を促し、ユーザからの回答を得た後に、プロフィールデータ更新画面にジャンプする。あるいは、ブリンク表示のない広告がクリックされたときに自動的にプロフィールデータ更新画面にジャンプするように設定してもよい。あるいは、第１の表示画面において、あらかじめ「ブリンクされていないＣＭはあなたの現在のプロフィールデータでは見ることができません。プロフィールデータを更新しますか？」のようなメッセージを表示しておいてもよい。
【００２５】
プロフィールデータ更新画面は、登録時のプロフィールデータ入力画面（図２）に近似したものとすることができ、ユーザに変更項目を指定させ、その項目について変更後のデータ入力を求める。センタは、これに応じて入力された内容を前記サーバにおける該ユーザのプロフィールデータとして書き換える。
【００２６】
書き換えられた後のプロフィールデータがクライアントの指定条件を満たすものとなった場合は、そのクライアントの広告が第１の表示画面においてブリンク表示され、第２の表示画面に移行して閲覧可能となったことをユーザに知らせる。
【００２７】
好ましい実施例において、第１の表示画面（図３）には、第２の表示画面に移行して閲覧したときにユーザに対して与えられる特典（広告視聴ポイント）が各広告について表示されている。
【００２８】
図３に示される第１の表示画面は自動車メーカーまたはディーラー各社がインデックス表示されている。このユーザは、現在のプロフィールデータではＡ社の広告を第２の表示画面で閲覧することができない。たとえば、Ａ社が比較的高価な輸入車を専門に扱うディーラーであって一定以上の年収のユーザのみに対して第２の表示画面の閲覧を許容するように条件設定している場合において、現在のプロフィールデータによるとこのユーザは上記年収基準を下回っているため、Ａ社の広告を第２の表示画面で閲覧することができない。このユーザが当初入力したプロフィールデータにおける年収から現在では大幅に増加してＡ社の設定する年収基準を上回っているとしても、サーバにおける記録が当初の入力内容のままであれば、Ａ社の広告を第２の表示画面で閲覧することができない状況は変わらない。
【００２９】
この場合において、ユーザがＡ社の広告を第２の表示画面に移行して閲覧することを希望し、プロフィールデータを現状にあわせて更新すれば閲覧可能となる（Ａ社の設定条件を満たすようになる）と考えたときには、前記メッセージに応答してプロフィールデータを積極的に更新することを希望するであろう。インセンティブ型コマーシャルシステムにおいては広告視聴（この実施形態においては第２の表示画面の閲覧）によってユーザに特典が与えられるので、特典を獲得するために、ユーザが積極的にプロフィールデータを更新することに対する大きな動機付けが存在する。特に、ブリンク表示されていない広告（たとえばＡ社）にブリンク表示されている広告（Ｃ社）よりも高い広告視聴ポイントがつけられているときには、ユーザは前者の広告を閲覧することに対してより強い希望を持つ傾向にあり、そのようなユーザに対してプロフィールデータを更新するように誘導することができる。
【００３０】
上述の例では、第１の表示画面にインデックス表示された各広告についてあらかじめそのユーザがクライアントによる設定条件を満たしているか否かを判定してその判定結果を第１の表示画面において表示するものとしたが、これに代えて、第１の表示画面にインデックス表示された中の特定の広告について第２の表示画面に移行するようユーザから要求されたとき（たとえばクリックされたとき）に、センタが、まずその広告が閲覧可能ユーザを限定するための条件設定がなされているものであるか否かを判定し、条件設定がなされているときは、次いで、そのユーザがその広告についてクライアントによる設定条件を満たしているか否かをサーバに登録されているユーザプロフィールデータと照合することによって判定するようにしてもよい。この場合、判定結果がイエスであるときはユーザの要求に応えて第２の表示画面への移行を許容して、その広告の具体的内容をユーザが閲覧可能とするが、判定結果がノーであるときは、前述の場合と同様に「あなたの現在のプロフィールデータではこのＣＭを見ることができません。プロフィールデータを更新しますか？」のようなメッセージを画面表示する等の手法により、ユーザにプロフィールデータの更新を促す。ユーザがプロフィールデータ更新画面において更新データを入力すると、センタは、入力された内容を前記サーバにおける該ユーザのプロフィールデータとして書き換える。書き換えられたプロフィールデータがクライアントの設定条件を満たすものとなった場合は、ユーザは当該広告の具体的内容を第２の表示画面において閲覧可能となる。
【００３１】
あるいは、クライアントの設定条件を満たさないユーザに対しても第２の表示画面に移行して閲覧を認めるが、そのようなユーザには閲覧しても広告視聴ポイントを与えないように設定することも可能である。この場合には、たとえば第１の表示画面（図３）において「あなたの現在のプロフィールデータではブリンク表示されていないＣＭを閲覧してもそのＣＭについての広告視聴ポイントを獲得することができません。プロフィールデータを更新しますか？」のようなメッセージを表示して、ユーザにプロフィールデータの更新を促すことができる。あるいは、第１の表示画面においてインデックス表示された中の一のＣＭがクリックされたときに、そのユーザのプロフィールデータをサーバの記録内容を照合することによって確認し、そのＣＭについて設定されている条件を満たしていない場合には、第２の表示画面において「あなたの現在のプロフィールデータではこのＣＭを閲覧しても広告視聴ポイントを獲得することができません。プロフィールデータを更新しますか？」のようなメッセージを表示して、ユーザにプロフィールデータの更新を促すことができる。いずれの場合であっても、このようなメッセージに応答してユーザがプロフィール更新画面においてデータを更新すると、前記サーバにおける該ユーザのプロフィールデータが書き換えられアップデートされる。
【００３２】
既に述べたように、クライアントは商品広告配信をセンタに依頼する際に、その広告をユーザが視聴したとき（第２の表示画面を閲覧したとき）にユーザに与える特典として広告視聴ポイントを設定する。この広告視聴ポイントは、ホームページ上で閲覧可能とされる広告画面において表示され、広告を視聴したユーザはそれによって獲得する広告視聴ポイントが具体的に何ポイントであるかを認識することができる。好ましくは第１の表示画面においてもインデックス表示された広告に付してその広告視聴によって与えられる広告視聴ポイントが表示されている。
【００３３】
広告視聴ポイントをどのように設定するかはクライアントの任意である。広告視聴ポイントを比較的高く設定すれば、ユーザが商品購入する際のメリットが大きくなるため購入意欲を惹起させる効果が大きくなると考えられる。広告視聴ポイントは、特定の商品または特定のクライアントの広告の１回の視聴に対して与えられるが、複数回の視聴に対して広告視聴ポイントを累積可能とするか否か、累積する場合の加算率、あるいは上限設定等もクライアントの任意である。たとえば１回の広告視聴に対して１００ポイントを付与し、１０回まで１００ポイント×回数の累積を許容して上限１０００ポイントで打ちきるように設定することができる。あるいは最初の広告視聴には１００ポイントを付与するが２回目以降５回目までは毎回５０ポイント、６〜１０回目までは毎回３０ポイントを付与するようにしても良い。反対に広告視聴回数が増えると加算ポイントが大きくなるようにしても良い。
【００３４】
また、広告視聴ポイントには有効期限をつけることができる。有効期限としては発行日（広告視聴日）から数ヶ月ないし１年以内とすることが実際的である。このように有効期限を設定することで、ユーザの商品購入意欲を高めることができ、クライアントにとっては広告配信に要したコストを回収できる可能性が増大する。
【００３５】
好適な実施形態において、クライアントは、広告視聴ポイントに種別をつけることができる。すなわち、広告視聴ポイントして、特定の商品あるいは特定のクライアントが提供する商品を購入する場合にのみ有効な限定視聴ポイントと、商品あるいはクライアントを特定しない非限定視聴ポイントのいずれかを任意に設定することができる。ここでは限定視聴ポイントをクローズマネー、非限定視聴ポイントをオープンマネーと呼ぶ。
【００３６】
この場合、各ユーザの通信端末機に内蔵されたメモリには、クローズマネーの対象とされた広告を視聴したときに該広告にかかる商品毎あるいはクライアント毎にクローズマネーを格納する第１の格納エリアと、オープンマネーの対象とされた広告を視聴したときにオープンマネーを格納する第２の格納エリアとを有している。第１の格納エリアに商品毎またはクライアント毎に格納されたクローズマネーは、ユーザが当該特定の商品または当該特定のクライアントが提供する商品を購入する場合にのみ有効であり、第２の格納エリアに格納されたオープンマネーは非限定的な商品購入において広く有効である。
【００３７】
図４は各ユーザが所有、保有または携帯する通信端末機の概略構成を示すブロック図であり、データ処理および各部の動作制御を行うＣＰＵ（中央処理装置）１０と、このＣＰＵ１０に接続されたディスプレイ１１、メモリ１２および入力装置１３を有している。また、ＣＰＵ１０にはインターフェース（Ｉ／Ｆ）１４を介して通信制御装置１５が接続されており、電話回線からアンテナ（図示せず）で受信した受信データ（広告視聴データ）がＣＰＵ１０で処理されてディスプレイ１１に表示されると共にメモリ１２に格納され、また、ＣＰＵ１０で処理されたデータがアンテナから電話回線で送信されるようになっている。
【００３８】
ディスプレイ１１は一般にＬＣＤやＣＲＴディスプレイとして構成され、メモリ１２は一般にメモリチップやＩＣカードとして構成され、入力装置１３は一般にテンキーその他の操作キーよりなるキー配列やタッチパネルとして構成されているが、特に限定されない。上述のように、メモリ１２は、クローズマネーを格納するエリア１２１とオープンマネーを格納するエリア１２２とを備えている。各ユーザの通信端末機のメモリ１２のエリア１２１，１２２に格納されている記憶内容（クローズマネーおよびオープンマネーの残高や履歴）はシステムセンタ１が備えるサーバにも同一内容で記憶されている。ユーザは、入力装置１３における所要の操作により、メモリ１２のエリア１２１および１２２に蓄積されているクローズマネーおよびオープンマネーの現時点での残高をディスプレイ１１に表示させて確認することができる。
【００３９】
好適な実施形態によれば、ホームページ４には各クライアントの広告の他に、各クライアントの各種商品をオンライン購入可能なショッピングモールが展開されている。あるいはユーザが特定の広告にアクセスしているときにその広告表示画面において当該広告にかかる商品を購入可能な構成としても良い。ユーザが通信端末機の入力装置１３を介して商品購入すると、そのオーダーがシステムセンタ１に送信される。システムセンタ１は商品オーダーに対応する配送データを作成して物流センタ６に商品配送を依頼する。物流センタ６はその商品をクライアント２または関連会社から受け、オーダー元のユーザ宅またはその他の指定場所に配達する。
【００４０】
【発明の効果】
以上に説明したように、本発明は、インセンティブ型コマーシャルシステムにおいて重要な役割を果たすユーザプロフィールデータについて、ユーザに対してこれを更新するように促すものであり、ユーザはコマーシャル閲覧による特典を得るためにこの要請に応じて積極的に自己のプロフィールデータを更新するものと期待することができる。
【００４１】
ユーザによりプロフィールデータの変更が入力されると、その入力事項に応じてシステムセンタに備えられるサーバに記録されるプロフィールデータが書き換えられる。これによりユーザは、これまで閲覧することができなかったコマーシャルを閲覧可能となってそれによる特典を受けることができるようになり、あるいは閲覧しても特典が与えられなかったコマーシャルについて閲覧による特典を受けることができるようになり、インセンティブ型コマーシャルシステムの会員としてのメリットを享受することができるようになる。
【００４２】
また、このようにしてユーザにプロフィールデータの更新を促すことによって、サーバにおけるユーザプロフィールデータは常にユーザの現状を反映したものとなり、クライアントにとっても正確なマーケティングが可能になる等大きなメリットとなる。
【図面の簡単な説明】
【図１】本発明の一実施形態によるインセンティブ型コマーシャルシステムを示す概略構成図である。
【図２】図１のシステムにおいて会員登録を希望するユーザに対してそのプロフィールデータの入力を要求する画面を模式的に示すイラスト図である。
【図３】図１のシステムにおいて登録ユーザに対して各クライアントのＣＭをインデックス表示するとともに、各ＣＭについてそのユーザがより詳細な内容のＣＭを閲覧可能であるか否かの識別表示を付した第１の表示画面を模式的に示すイラスト図である。
【図４】図１のシステムにおいて各ユーザが所有、保有または携帯する通信端末機の概略構成を示すブロック図である。
【符号の説明】
１  システムセンタ
２  クライアント（広告依頼者）
３  ユーザ
４  ホームページ
５  プロバイダ
６  物流センタ
１０  ＣＰＵ（メモリ書換手段）
１１  ディスプレイ
１２  メモリ
１２１  クローズマネー（限定視聴ポイント）を蓄積する第１の格納エリア
１２２  オープンマネー（非限定視聴ポイント）を蓄積する第２の格納エリア
１３  入力装置
１４  インターフェース
１５  通信制御装置
【図１】
0004411477.tif 000002
【図２】
0004411477.tif 000003
【図３】
0004411477.tif 000004
【図４】
0004411477.tif 000005